(57)【要約】【課題】カメラ伸縮レンズの内蔵式多重駆動装置を提供する。【解決手段】各駆動装置はコイル固定子、磁石リング回転子、固定ねじ込み式パイプ、内ねじ込み式パイプベース及び回転阻止機構によって構成され、コイル固定子を本体に固定し、磁石リング回転子と固定ねじ込み式パイプ、内ねじ込み式パイプベースと固定ねじ込み式パイプをそれぞれ連結させる。内ねじ込み式パイプベースは回転阻止機構の働きによりスライド運動を行うことができ、内ねじ込み式パイプベースの内側には各レンズまたは各レンズ群を装着することができる。これにより、磁石リング回転子がコイル固定子の磁気刺激を受けて回転した時に、固定ねじ込み式パイプは内ねじ込み式パイプベースを中心として回り、内ねじ込み式パイプベースは回転阻止機構の制御を受けてスライドする。【選択図】図1
0003126456.tif 000002
【実用新案登録請求の範囲】
【請求項１】
それぞれ独立する複数の駆動装置を有し、前記複数の駆動装置がレンズモジュールの中に設けられるカメラ伸縮レンズの内蔵式多重駆動装置であって、
本体と、
第一のコイル固定子、第一の磁石リング回転子、第一の固定ねじ込み式パイプ、第一の内ねじ込み式パイプベース及び第一の回転阻止機構によって構成され、前記第一のコイル固定子は前記本体の前段部に固定され、前記第一の磁石リング回転子は前記第一の固定ねじ込み式パイプと接続され、前記第一の内ねじ込み式パイプは前記第一の固定ねじ込み式パイプと接続され、前記第一の内ねじ込み式パイプベースは前記第一の回転阻止機構の働きによりスライド動作を行い、前記第一の内ねじ込み式パイプベースの内側には第一のレンズが装着され、前記本体の内側に設置される第一の駆動装置と、
第二のコイル固定子、第二の磁石リング回転子、第二の固定ねじ込み式パイプ、第二の内ねじ込み式パイプベース及び第二の回転阻止機構によって構成され、前記第二のコイル固定子は前記本体の中段部に固定され、前記第二の磁石リング回転子は前記第二の固定ねじ込み式パイプと接続され、前記第二の内ねじ込み式パイプベースは前記第二の固定ねじ込み式パイプと接続され、前記第二の内ねじ込み式パイプベースは前記第二の回転阻止機構の働きによりスライド動作を行い、前記第二の内ねじ込み式パイプベースの内側には第二のレンズが装着され、前記本体の内側に設置される第二の駆動装置と、
前記本体の内側に設置され、内側には保護レンズが装着され、外側には第三のレンズが装着されるベースリングと、
を有する、
カメラ伸縮レンズの内蔵式多重駆動装置。
【請求項２】
前記第一のコイル固定子と第二のコイル固定子は、それぞれ、対称的に配置される、彎曲の磁極爪を有する一対の透磁リングを樹脂材料により一体化固定し、前記透磁リングの間にコイルを巻くように形成される、
請求項１に記載のカメラ伸縮レンズの内蔵式多重駆動装置。
【請求項３】
前記第一の回転阻止機構と第二の回転阻止機構は、それぞれ、回転阻止部と、ガイドレールまたは回転阻止穴と、ガイドピンとによって構成され、前記ガイドレールと前記ガイドピンは、直接または間接的に前記本体に装着される、
請求項１に記載のカメラ伸縮レンズの内蔵式多重駆動装置。
【請求項４】
前記カメラ伸縮レンズの内蔵式多重駆動装置は、さらに第三の駆動装置を含み、前記第三の駆動装置は、第三のコイル固定子、第三の磁石リング回転子、第三の固定ねじ込み式パイプ、第三の内ねじ込み式パイプベース及び第三の回転阻止機構によって構成され、前記第三のコイル固定子が前記本体の延伸前段部に固定され、前記第三の磁石リング回転子は前記第三の固定ねじ込み式パイプと接続され、前記第三の内ねじ込み式パイプベースは前記第三の固定ねじ込み式パイプと接続され、前記第三の内ねじ込み式パイプベースは前記第三の回転阻止機構の働きによりスライド運動を行い、前記第三の内ねじ込み式パイプベースの内側には第四のレンズが装着される、
請求項１に記載のカメラ伸縮レンズの内蔵式多重駆動装置。
【請求項５】
前記第三の回転阻止機構は、回転阻止部及びガイドレールによって構成され、位置決めの際、前記第一の駆動装置のガイドレールを使用する、
請求項４に記載のカメラ伸縮レンズの内蔵式多重駆動装置。
【請求項６】
前記第一のレンズ、前記第二のレンズまたは前記第四のレンズは、それぞれ、レンズ群に置き換える、
請求項１または請求項４に記載のカメラ伸縮レンズの内蔵式多重駆動装置。
【考案の詳細な説明】
【技術分野】
【０００１】
本考案は、カメラ伸縮レンズの駆動装置に関し、特に、それぞれ独立する複数の駆動装置を有し、レンズモジュールの中に用いられるカメラ伸縮レンズの内蔵式多重駆動装置に関する。
【背景技術】
【０００２】
従来のカメラ伸縮レンズモジュールにおいて、駆動モーターがレンズベースの外側に直接固定され、伝動パーツによって駆動する。駆動装置が片側に配置されるため、伸縮レンズは、駆動の補助として別の連動パーツをレンズベースの内側に装着しなければならない。このような従来の構造は、実際の使用において以下のような問題が存在している。
【０００３】
１．駆動モーターがレンズベースの外部に装着されるため、カメラレンズモジュールの配置はバランスが取れず、レンズモジュールのレイアウトが制限される。
【０００４】
２．駆動モーターがレンズベースに対して片側に配置されるため、伸縮レンズの伸縮動作がスムーズに行えず、現在のデジタル市場においては受け入れられない。
【０００５】
３．駆動モーターが別の連動パーツの補助を必要とするため、構成部品及び組立てによるコストが増加し、経済効率性が見込めない。
【０００６】
４．伸縮レンズモジュールの内側における複数のレンズの移動は、伝動パーツの相対移動によりオートフォーカス機能を実現できるが、ダイナミックフォーカス、ソフトフォーカス、暈し效果等についてはレンズモジュール内における特定のレンズを個別に制御することができない。
【０００７】
よって、従来のカメラ伸縮レンズ構造の問題点を改善し、対称性、シンプル構造、独立制御作動各レンズを有し、且つ組立てが便利な新型構造を開発することは消費者が待望することであり、関連業者の目指すところでもある。
【考案の開示】
【考案が解決しようとする課題】
【０００８】
本考案の目的は、それぞれ独立する複数の駆動装置を有し、レンズモジュールの中に用いられるカメラ伸縮レンズの内蔵式多重駆動装置を提供することにある。
【課題を解決するための手段】
【０００９】
前述の目的を達成するために、本考案は、コイル固定子、磁石リング回転子、固定ねじ込み式パイプ、内ねじ込み式パイプベース及び回転阻止機構によって構成された内蔵式多重駆動装置の各駆動装置を提供する。コイル固定子を本体に固定し、磁石リング回転子と固定ねじ込み式パイプ、内ねじ込み式パイプベースと固定ねじ込み式パイプをそれぞれ連結させる。内ねじ込み式パイプベースは回転阻止機構の働きによりスライド運動を行うことができ、内ねじ込み式パイプベースの内側には各レンズまたは各レンズ群を装着することができる。これにより、磁石リング回転子がコイル固定子の磁気刺激を受けて回転した時、固定ねじ込み式パイプは内ねじ込み式パイプベースを中心として回り、内ねじ込み式パイプベースは回転阻止機構の制御を受けてスライドする。フォーカス可変なレンズモジュールにおける複数レンズ若しくは複数のレンズ群は、それぞれ独立した駆動装置と合わせて、各駆動装置とレンズモジュールを整合し、各駆動装置を一つの本体にそれぞれ装着することにより内蔵式多重駆動装置が構成され、各レンズ（群）の伸縮状態を個別に制御することができる。
【考案の効果】
【００１０】
本考案の内蔵式多重駆動装置は、組み立てのモジュール化、各レンズ（群）の個別制御とデジタル化制御を実現でき、また様々なフォーカス可変レンズモジュールに適用されることも可能である。
【考案を実施するための最良の形態】
【００１１】
次に、添付した図面を参照しながら、本考案の好適な実施例を詳細に説明する。
【００１２】
図１、図２、図３、図４及び図５は本考案におけるカメラ伸縮レンズの内蔵式多重駆動装置の好適な実施例を示すものである。
【００１３】
本実施例におけるカメラ伸縮レンズの内蔵式多重駆動装置はフォーカス可変レンズモジュール１０の各レンズ１１、１２、１３、１５及びこれらの各レンズに対応する独立した駆動装置３０、４０を有し、各駆動装置３０、４０をレンズモジュール内１０に整合することで構成され、本体２０、第一の駆動装置３０、第二の駆動装置４０およびベースリング５０を含む。
【００１４】
本体２０には、独立した第一の駆動装置３０と第一の駆動装置４０が装着される。
【００１５】
第一の駆動装置３０は、コイル固定子３１、磁石リング回転子３５、固定ねじ込み式パイプ３６、内ねじ込み式パイプベース３７及び回転阻止機構Ａによって構成される。コイル固定子３１は本体２０の外側前段に固定され、磁石リング回転子３１は固定ねじ込み式パイプ３６と、内ねじ込み式パイプベース３７は固定ねじ込み式パイプ３６とそれぞれ連結される。また、内ねじ込み式パイプベース３７は回転阻止機構の働きによりスライド動作を行うことができ、内ねじ込み式パイプベース３７の内側には第一のレンズ１１が装着される。
【００１６】
第二駆動装置４０は、コイル固定子４１、磁石リング回転子４５、固定ねじ込み式パイプ４６、内ねじ込み式パイプベース４７及び回転阻止機構Ｂによって構成される。コイル固定子４１は本体２０の中段に固定され、磁石リング回転子４５は固定ねじ込み式パイプ４６と、内ねじ込み式パイプベース４７は固定ねじ込み式パイプ４６とそれぞれ連結される。また、内ねじ込み式パイプベース４７は回転阻止機構Ｂの働きによりスライド動作を行うことができ、内ねじ込み式パイプベース４７の内側には第二のレンズ１２が装着される。
【００１７】
ベースリング５０は、本体２０の内側に設置される。ベースリング５０の内側と外側には、それぞれ保護レンズ１５と第三のレンズ１３が装着される。
【００１８】
以上の構造を有する内蔵式多重駆動装置のカメラフォーカス可変レンズモジュール１０の各レンズ１１、１２、１３は、内蔵された独立駆動装置３０、４０によって多段式独立制御伸縮形態をとることができる（図６、図７を参照）。
【００１９】
内蔵式多重駆動装置において、図３と図４に示すように、各駆動装置３０、４０のコイル固定子３１、４１は彎曲した磁極爪３２、４２を持つ一対の透磁リング３３、４３を対称配置にて樹脂材料で一体化固定したものであり、透磁リング３３と４３の間には、コイル３４、４４を巻いてコイル固定子３１、４１が形成される。また、コイル固定子３１、４１の内側に多極磁性を持つ磁石リング回転子３５、４５を組み合わせると、磁石リングの回転子３５、４５はコイル固定子３１、４１の磁気刺激反応によって回転動作を行う。また、各駆動装置３０、４０には内ねじ込み式パイプベース３７、４７の回転防止及びスライドガイドの役割をもった回転阻止機構Ａ、Ｂが設置され、それは回転阻止部３８とガイドレール３９もしくは回転阻止穴４８及びガイドピン４９によって構成される。位置決めのためのガイドレール３９及びガイドピン４９は、直接または間接的に本体２０に装着される。
【００２０】
図８に示すように、フォーカス可変レンズモジュール１０は第四のレンズ１４を有し、内蔵式多重駆動装置には第三の駆動装置６０を増設することが可能で、それはコイル固定子６１、磁石リング回転子６５、固定ねじ込み式パイプ６６、内ねじ込み式パイプベース６７及び回転阻止機構Ｃによって構成される。コイル固定子６１を本体２０の延伸前段に固定し、磁石リング回転子６５と固定ねじ込み式パイプ６６、内ねじ込み式パイプベース６７と固定ねじ込み式パイプ６６をそれぞれ連結させる。また、内ねじ込み式パイプベース６７は回転阻止機構Ｃの働きによりスライド運動を行い、内ねじ込み式パイプベース６７の内側にはフォーカス可変レンズモジュール１０と対向配置された第一、第二、第三、第四のレンズ１１、１２  １３  １４はそれぞれ第一の駆動装置３０、第二の駆動装置６０及びベースリング５０に設置される。第三の駆動装置６０は、内ねじ込み式パイプベース６７に対して回転防止及びスライドガイドの役割をもつ回転阻止機構Ｃを有し、その回転阻止機構Ｃは回転阻止部６８及びガイドレール６９によって構成される。位置決めの際は、第一の駆動装置３０のガイドレール６９を使用する。
【００２１】
また、本考案における内蔵式多重駆動装置の各駆動装置３０、４０、６０における内ねじ込み式パイプベース３７、４７、６７の内部及びベースリング５０の内側に装着される各レンズ１１、１２、１３、１４、１５は各レンズ群で代替することができ（図示せず）、即ち、内蔵式多重駆動装置の内側のフォーカス可変レンズモジュール１０は、各レンズ群により構成されることが可能である。
【００２２】
上述の構造、設計に基づいた本考案における実施例の組立て方式及び使用状況を下記にて説明する。
【００２３】
図３、図４、図５及び図８に示すように、フォーカス可変レンズモジュール１０の複数のレンズ１１、１２、１３、１４、１５または複数のレンズ群（図示せず）は、それぞれ独立した駆動装置３０、４０、６０と合わせて、各駆動装置３０、４０、６０とレンズモジュール１０を整合して、独立した駆動装置３０、４０、６０を一つの本体２０に順番に装着すると、内蔵式多重駆動装置が構成され、磁石リング回転子３５、４５、６５がコイル固定子３１、４１、６１の磁気刺激を受けて回転した時、固定ねじ込み式パイプ３６、４６、６６は内ねじ込み式パイプベース３７、４７、６７を中心として回り、内ねじ込み式パイプベース３７、４７、６７は回転阻止機構Ａ、Ｂ、Ｃの制御を受けてスライドする。図６、図７に示すように、内部のフォーカス可変レンズモジュール１０の複数レンズ１１、１２、１３、１４、１５または複数のレンズ群の移動伸縮状態を制御する。また、本体２０の内側は個別に独立した駆動装置３０、４０、６０が設置されるため、個別に伸縮制御を行える内蔵式多重駆動装置が構成される。
【００２４】
本考案における機能の進歩性は以下の通りである。
【００２５】
１．各駆動装置３０、４０、６０とレンズモジュール１０を整合し、それぞれ独立した駆動装置３０、４０、６０を一つの本体２０の内部に組み合わせることで、内蔵された環状対称レイアウトを実現し、カメラのレンズモジュールの配置効率を改善するとともに、モジュール化組立ての実用性を達成している。
【００２６】
２．各駆動装置３０、４０、６０が駆動した時、磁石リング回転子３５、４５、６５及びコイル固定子３１、４１、６１は環状にバランスよく配置されるため、極めて安定した動作を維持できる。
【００２７】
３．コイル固定子３１、磁石リング回転子３５、固定ねじ込み式パイプ３６、内ねじ込み式パイプベース３７及び回転阻止機構Ａのみで駆動装置３０を構成でき、別の伝動パーツを用いる必要がなく、全体が環状パーツの嵌め合い若しく締付けによって組み合わせることができるため、パーツの簡略化、簡単組立てを実現した実用的で、進歩性を有したものとなる。
【００２８】
また、本考案の効果は以下の通りである。
【００２９】
１．各駆動装置３０、４０、６０は個別の接続形態を採用し、レンズモジュール１０とともに一つの本体２０の内側に整合され、個別に伸縮制御を行える内蔵式多重駆動装置を構成する。これにより、ダイナミックフォーカス、ソフトフォーカスまたは暈し效果といったフォーカス、倍率変更の需要に対応することができ、レンズモジュール１０内の各レンズ（群）に対して個別に伸縮制御を行うことができる。
【００３０】
２．内蔵式多重駆動装置により、レンズモジュール１０の各レンズ（群）の個別伸縮制御、各駆動装置３０、４０、６０のデジタル化制御調整及び様々な種類のフォーカス可変レンズモジュールを適用することができ、実用的かつ進歩性を有したものとなる。
【００３１】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００３２】
【図１】本考案における好適な実施例の内蔵式多重駆動装置の組合せ立体図である。
【図２】本考案における好適な実施例の内蔵式多重駆動装置の他の組合せ立体図である。
【図３】本考案における好適な実施例の内蔵式多重駆動装置の分解断面図である。
【図４】本考案における好適な実施例の内蔵式多重駆動装置の他の分解断面図である。
【図５】本考案における好適な実施例の内蔵式多重駆動装置の組合せ断面図である。
【図６】本考案における好適な実施例の内蔵式多重駆動装置の動作イメージ図である。
【図７】本考案における好適な実施例の内蔵式多重駆動装置の他の動作イメージ図である。
【図８】本考案における他の好適な実施例の内蔵式多重駆動装置の組合せ断面図である。
【符号の説明】
【００３３】
１０                      フォーカス可変レンズモジュール
１１、１２、１３、１４    レンズ
１５                      保護レンズ
２０                      本体
３０                      第一の駆動装置
４０                      第二の駆動装置
５０                      ベースリング
６０                      第三の駆動装置
３１、４１、６１          コイル固定子
３２、４２、６２          磁極爪
３３、４３、６３          透磁リング
３４、４４、６４          コイル
３５、４５、６５          磁石リング回転子
３６                      固定ねじ込み式パイプ
３７                      内ねじ込み式パイプベース
Ａ、Ｂ、Ｃ                回転阻止機構
３８、６８                回転阻止部
３９、６９                ガイドレール
４８                      回転阻止穴
４９                      ガイドピン
【図１】
0003126456.tif 000003
【図２】
0003126456.tif 000004
【図３】
0003126456.tif 000005
【図４】
0003126456.tif 000006
【図５】
0003126456.tif 000007
【図６】
0003126456.tif 000008
【図７】
0003126456.tif 000009
【図８】
0003126456.tif 000010